(57)【要約】【課題】  熱源機(3)からの熱で加熱生成された温水ミストを浴室に噴霧するミストサウナ機能と、熱源機(3)からの熱で加熱生成された温水を、複数系統の床暖房回路(510)(520)(530)に供給する床暖房機能を具備する、温水暖房システムの制御方法に於いて、床暖房時にミストサウナ運転が開始されても十分な量の温水ミストを加熱生成できるようにする。【解決手段】  ミストサウナ機能と床暖房機能が同時使用されたことを検知する同時使用検知手段(ST1)が前記同時使用を検知している場合には、前記床暖房機能と前記ミストサウナ機能の実現に対して前記熱源機が能力不足に陥る条件下では床暖房回路への温水供給量を制限すること（(ST27)(ST29)(ST31)(ST32)）。【選択図】  図２
2006349225.tif 000002
【特許請求の範囲】
【請求項１】
熱源機からの熱で加熱生成された温水ミストを浴室に噴霧するミストサウナ機能と、
前記熱源機からの熱で加熱生成された温水を、並列接続された複数系統の床暖房回路に供給する床暖房機能を具備する、温水暖房システムの制御方法に於いて、
前記ミストサウナ機能と前記床暖房機能が同時使用されたことを検知する同時使用検知手段を設け、
前記同時使用検知手段が前記同時使用を検知している場合には、前記床暖房機能と前記ミストサウナ機能の実現に対して前記熱源機が能力不足に陥る条件下では前記床暖房回路への温水供給量を制限する、温水暖房システムの制御方法。
【請求項２】
請求項１に記載の温水暖房システムの制御方法に於いて、
前記床暖房機能は、前記温水を設定周期で前記各床暖房回路に供給するものであり、
前記床暖房回路への温水供給量を制限するときは、前記設定周期の中で前記温水を供給する時間に対する停止する時間の割合を大きくする制御を実行する、温水暖房システムの制御方法。
【請求項３】
請求項１に記載の温水暖房システムの制御方法に於いて、
前記各床暖房回路には流量絞り手段が配設されており、
前記床暖房回路への温水供給量を制限するときは、前記各床暖房回路の温水の流量を前記流量絞り手段で絞る制御を実行する、温水暖房システムの制御方法。
【請求項４】
請求項１に記載の温水暖房システムの制御方法に於いて、
前記各床暖房回路には開閉弁が配設されており、
前記床暖房回路への温水供給量を制限するときは、何れかの床暖房回路に配設された前記開閉弁を閉じる制御を実行する、温水暖房システムの制御方法。
【請求項５】
請求項１に記載の温水暖房システムの制御方法に於いて、
前記各床暖房回路には開閉弁が配設されており、
前記床暖房回路への温水供給量を制限するときは、前記全ての開閉弁を閉じる制御を実行する、温水暖房システムの制御方法。
【請求項６】
請求項１に記載の温水暖房システムの制御方法に於いて、
前記床暖房機能は、前記温水を設定周期で前記各床暖房回路に供給するものであり、
前記各床暖房回路には流量絞り手段と開閉弁が各別に配設され、
前記能力不足のレベルを判定する不足レベル判定手段が設けられており、
前記床暖房回路への温水供給量を制限するときには、前記不足レベルが高くなるに伴なって、
請求項２、請求項３、請求項４、及び請求項５の制御をこの順序で実行する、温水暖房システムの制御方法。
【発明の詳細な説明】
【技術分野】
【０００１】
本発明は、浴室に温水ミストを噴霧するミストサウナ機能を備えた温水暖房システムの制御方法、特に、前記温水ミストを加熱生成する熱源機が能力不足状態に陥る場合の制御方法に関するものである。
【背景技術】
【０００２】
近年、家庭用の温水暖房システムは次第に高機能化し、パネルヒータによる暖房機能や放熱マットによる床暖房機能、更には、浴室に高温ミストを噴霧するミストサウナ機能等、種々の機能が搭載されるようになった。そして、ミストサウナや床暖房時等には、共通の熱源機からの温水を利用して各機能を実現するのが一般的である。
前記ミストサウナとしては、熱源機で加熱生成された１Ｌ／分程度の温水ミスト（約７０℃）を噴霧して浴室内を約４０℃程度に維持する形式のものが知られているが、ミストサウナの運転開始初期には、熱源機に大きな加熱能力が要求される。即ち、ミストサウナの運転開始初期には、温水ミストの噴霧により浴室を設定温度に昇温加湿させてサウナ入浴ができる環境を整えるまで（以下、「サウナ準備作業」という。）は、浴室内が冷えているだけではなく、噴霧した温水ミストが気化熱を奪って温水自体が温度低下することもあり、サウナ準備作業を円滑に行なうためには多量の温水ミストを加熱生成する必要がある。このことから、ミストサウナの運転開始初期には、熱源機に大きな加熱能力が要求される。
従って、例えば、床暖房中にサウナ準備作業が行なわれると、更に多くの熱量が必要となり、熱源機の能力不足を招来する。その結果、従来のものでは、サウナ準備作業に長時間を要し、入浴までの待ち時間が長くなるという問題があった。そして、冬の寒い時期に於いては、前記入浴までの待ち時間が特に長くなって極めて不便なものとなる。
【特許文献１】特開２００３−２４０３８１号公報
【特許文献２】特開平８−１３１５０７号公報
【発明の開示】
【発明が解決しようとする課題】
【０００３】
本発明は、かかる点に鑑みて成されたもので、
『熱源機からの熱で加熱生成された温水ミストを浴室に噴霧するミストサウナ機能と、
前記熱源機からの熱で加熱生成された温水を、並列接続された複数系統の床暖房回路に供給する床暖房機能を具備する、温水暖房システムの制御方法』に於いて、床暖房時にミストサウナ運転が開始されても十分な量の温水ミストを加熱生成できるようにし、これにより、サウナ準備作業を迅速に進行させるようにして入浴までの待ち時間が長くなるのを防止することを課題とする。
【課題を解決するための手段】
【０００４】
１．請求項１に係る発明の解決手段は、
『前記ミストサウナ機能と前記床暖房機能が同時使用されたことを検知する同時使用検知手段を設け、
前記同時使用検知手段が前記同時使用を検知している場合には、前記床暖房機能と前記ミストサウナ機能の実現に対して前記熱源機が能力不足に陥る条件下では前記床暖房回路への温水供給量を制限する』ことである。
上記解決手段によれば、ミストサウナ機能と床暖房機能が同時使用されると、これを同時使用検知手段が検知する。そして、同時使用検知手段が前記同時使用を検知している状態で、ミストサウナ機能と床暖房機能の実現に対して熱源機が能力不足に陥る条件になると、床暖房回路への温水供給量を制限し、その分、ミストサウナ用の熱量を増加させる。これにより、床暖房時にミストサウナ運転が開始されても十分な量の温水ミストを加熱生成できる。よって、サウナ準備作業の所要時間が長くならず、入浴までの待ち時間が長くなるのを防止できる。
【０００５】
２．請求項２に係る発明の解決手段は、
請求項１に係る発明に於いて、『前記床暖房機能は、前記温水を設定周期で前記各床暖房回路に供給するものであり、
前記床暖房回路への温水供給量を制限するときは、前記設定周期の中で前記温水を供給する時間に対する停止する時間の割合を大きくする制御を実行する』ことである。
このものでは、熱源機が能力不足に陥る条件下では、床暖房回路へ温水を供給する時間に対する停止する時間の割合が大きくなり、これにより、床暖房回路への単位時間当たりの温水供給量を低下させるから、その分、ミストサウナ用の熱量が増加する。
【０００６】
３．請求項３に係る発明の解決手段は、
請求項１に係る発明に於いて、『前記各床暖房回路には流量絞り手段が配設されており、
前記床暖房回路への温水供給量を制限するときは、前記各床暖房回路の温水の流量を前記流量絞り手段で絞る制御を実行する』ことである。
このものでは、熱源機が能力不足に陥る条件下では、流量絞り手段により、各床暖房回路の温水の流量が絞られるから、その分、ミストサウナ用の熱量が増加する。
【０００７】
４．請求項４に係る発明は、
請求項１に係る発明に於いて、『前記各床暖房回路には開閉弁が配設されており、
前記床暖房回路への温水供給量を制限するときは、何れかの床暖房回路に配設された前記開閉弁を閉じる制御を実行する』ことである。
このものでは、熱源機が能力不足に陥る条件下では、複数系統の床暖房回路中、何れかの床暖房回路に配設された開閉弁を閉じる。これにより、温水が流れる床暖房回路の系統数が少なくなるから、その分、ミストサウナ用の熱量が増加する。
【０００８】
５．請求項５に係る発明は、
請求項１に係る発明に於いて、『前記各床暖房回路には開閉弁が配設されており、
前記床暖房回路への温水供給量を制限するときは、前記全ての開閉弁を閉じる制御を実行する』ことである。
このものでは、熱源機が能力不足に陥る条件下では、各床暖房回路に配設された開閉弁を全て閉じ、これにより、全ての暖房回路への温水供給を遮断するから、その分、ミストサウナ用の熱量が増加する。
【０００９】
６．請求項６に係る発明は、
請求項１に係る発明に於いて、『前記床暖房機能は、前記温水を設定周期で前記各床暖房回路に供給するものであり、
前記各床暖房回路には流量絞り手段と開閉弁が配設され、
前記能力不足のレベルを判定する不足レベル判定手段が設けられており、
前記床暖房回路への温水供給量を制限するときには、前記不足レベルが高くなるに伴なって、
請求項２、請求項３、請求項４、及び請求項５の制御をこの順序で実行する』ことである。
このものでは、ミストサウナ機能と床暖房機能が同時使用されたときの熱源機の能力不足レベルに応じて床暖房の能力を制限するレベルを変化させることができる。
【発明の効果】
【００１０】
本発明は次の特有の効果を有する。
床暖房機能とミストサウナ機能の実現に対して熱源機が能力不足に陥る条件下では床暖房回路への温水供給量を制限するから、その分、ミストサウナ用の熱量が増加する。よって、床暖房時にミストサウナ運転が開始されても十分な量の温水ミストを加熱生成できるから、サウナ準備作業の所要時間が長くならず、入浴までの待ち時間が長くなるのを防止できる。
請求項６に係る発明によれば、既述したように、ミストサウナ機能と床暖房機能が同時使用されたときの熱源機の能力不足レベルに応じて床暖房の能力を制限するレベルを変化させることができ、より適切な制御が行なえる。
【発明を実施するための最良の形態】
【００１１】
以下に、本発明を実施するための最良の形態について添付図面を参照しながら説明する。
図１に示すように、本実施の形態に係る温水暖房システムは、浴室暖房用端末(20)と、噴霧ノズル(10a)(10b)へ温水ミストを供給するミストユニット(1)と、床暖房用の第１〜第３放熱マット(51)(52)(53)を具備する第１〜第３床暖房回路(510)(520)(530)と、これらに暖房循環回路(30)を介して温水供給する熱源機(3)を具備している。以下、各部の詳細を説明する。
【００１２】
［熱源機(3)]
熱源機(3)に設けられた熱交換器(31)の入口部及び出口部には、暖房循環回路(30)の戻り管(301)と往き管(300)とが接続されている。往き管(300)の上流端近傍には熱交換器(31)から流出する温水の温度を検知する出湯温センサ(32)が設けられていると共に、戻り管(301)の下流端近傍には暖房循環回路(30)内で温水を循環させる為の循環ポンプ(33)が設けられている。
熱交換器(31)の下方には、ガスバーナ(34)とこれに給気する給気ファン(35)が配設されており、ガスバーナ(34)へのガス回路にはガス弁(V)が設けられている。
熱源機(3)等を制御する制御装置(37)には、マイクロコンピュータ(370)が組み込まれていると共に、給気ファン(35)や循環ポンプ(33)等の電気部品が図１のように配線接続されている。又、制御装置(37)の出力部には、設定周期でＨ信号を出力する標準発振回路(38)と、これに比べてＨ信号に対するＬ信号の時間幅の割合が大きい信号を周期的に出力する制限用発振回路(39)が接続されている。尚、本実施の形態では、標準発振回路(38)は１０分のＨ信号と１０分のＬ信号を交互に出力し、制限用発振回路(39)は５分のＨ信号と１５分のＬ信号を交互に出力する。これにより、後述する床暖房時に於ける第１〜第３放熱マット(51)(52)(53)のＯＮ・ＯＦＦの時間比率が切替えられ、暖房能力を二段階に変化させることができる。
【００１３】
［ミストユニット(1)]
噴霧ノズル(10a)(10b)に温水ミストを供給するミストユニット(1)は、浴室(4)に配設されたリモコン(40)で操作されるものであり、該リモコン(40)とデータ通信するミスト制御装置(15)及びミスト用熱交換器(11)を具備している。又、リモコン(40)にはミストスイッチ(401)や浴室暖房スイッチ(402)等が配設されている。
ミスト用熱交換器(11)には、暖房循環回路(30)の往き管(300)と戻り管(301)を繋ぐミスト加熱回路(36)が一次側回路として接続されている。又、ミスト用熱交換器(11)には、二次側回路としてのミスト用給水回路(12)が接続されていると共に、ミスト用給水回路(12)の下流端に設けられた噴霧ノズル(10a)(10b)の間の回路には噴霧量切替弁(122)が配設されている。又、ミスト用給水回路(12)に於けるミスト用熱交換器(11)の上流側及び下流側には噴霧弁(14)と出湯温センサ(121)が設けられていると共に、ミスト用熱交換器(11)の一次側回路たるミスト加熱回路(36)には全閉機能を有し、流量を調整するミスト加熱弁(13)が配設されている。
【００１４】
［第１〜第３床暖房回路(510)(520)(530)］
暖房循環回路(30)の往き管(300)と戻り管(301)を繋ぐように並列接続された第１〜第３床暖房回路(510)(520)(530)には、第１〜第３放熱マット(51)(52)(53)が各別に設けられている。
暖房循環回路(30)から第１放熱マット(51)へ分岐する第１床暖房回路(510)には、第１開閉弁(511)と第１絞り弁(512)が直列挿入されていると共に、第２，第３床暖房回路(520)(530)にも同様に、第２，第３開閉弁(521)(531)と第２，第３絞り弁(522)(532)が直列挿入されている。又、第１〜第３放熱マット(51)(52)(53)が配設された夫々の居室には、第１〜第３床暖房スイッチ(513)(523)(533)が設けられている。尚、本実施の形態では、上記第１〜第３絞り弁(512)(522)(532)が請求項３の発明特定事項たる流量絞り手段に対応している。
第１開閉弁(511)は、既述標準発振回路(38)や制限用発振回路(39)の発振信号と制御装置(37)からの制御信号が印加される第１ＡＮＤ回路(54)の出力で開閉制御される。同様に、第２，第３開閉弁(521)(531)も、標準発振回路(38)や制限用発振回路(39)の発振信号と制御装置(37)からの制御信号が印加される第２，第３ＡＮＤ回路(55)(56)の出力で各別に開閉制御される。
【００１５】
［浴室暖房用端末(20)]
浴室(4)の天井に配設された浴室暖房用端末(20)には、暖房循環回路(30)からの温水が流れる浴暖用熱交換器(201)と、送風ファン(202)が設けられている。又、暖房循環回路(30)の往き管(300)と戻り管(301)を繋ぐ浴室暖房回路(200)には、浴室暖房弁(203)と前記浴暖用熱交換器(201)と戻り湯温センサ(205)が配設されている。又、浴室(4)の天井には浴室温センサ(42)と湿度センサ(43)が設置されている。
【００１６】
［システム動作]
次に、本実施の形態に係る温水暖房システムの動作を図２，図３に基づいて説明する。
先ず、ステップ(ST1)(ST2)で、ミストスイッチ(401)、又は、第１〜第３床暖房スイッチ(513)(523)(533)の何れかがＯＮ操作されたことが確認されるまで循環ポンプ(33)をＯＦＦ状態に維持する一方、ガスバーナ(34)を消火状態に維持する。
【００１７】
次に、ミストスイッチ(401)、又は、第１〜第３床暖房スイッチ(513)(523)(533)の何れかのＯＮ操作が確認できると、ステップ(ST1)からステップ(ST3)に進み、循環ポンプ(33)を作動させると共にガスバーナ(34)を燃焼させ、更に、出湯温センサ(32)が検知する出湯温度を８０℃に維持されるようにガスバーナ(34)の燃焼量を制御する。又、ステップ(ST3)では、床暖房制御に必要なマイクロコンピュータ(370)の出力ポートを特定する為のアドレスＡを１００にする。
その後、ステップ(ST4)で、第１〜第３床暖房スイッチ(513)(523)(533)の何れかがＯＮ操作されたか否かを再度判断し、操作されている場合はステップ(ST5)以下の床暖房制御を開始する。
【００１８】
床暖房制御が始まると、ステップ(ST5)を実行し、制御装置(37)に組み込まれたマイクロコンピュータ(370)のアドレスＡ（ステップ(ST3)で１００に設定されている。）の出力ポートを「Ｈ」にし、これにより、標準発振回路(38)を発振状態にする。すると、標準発振回路(38)から出力されるＨ信号とＬ信号が一定周期で第１ＡＮＤ回路(54)(55)(56)の一方の入力端子(Z)(Z)(Z)に印加される。
【００１９】
次に、ステップ(ST6)で第１床暖房スイッチ(513)がＯＮ状態にあると判断されると、ステップ(ST7)で第１ＡＮＤ回路(54)の入力端子(A2)にＨ信号を印加する。すると、第１ＡＮＤ回路(54)は入力端子(Z)に交互に印加されているＨ・Ｌ信号に同期した信号を出力し、該同期信号によって第１開閉弁(511)が開閉する。これにより、第１放熱マット(51)が標準発熱量で発熱する。尚、第１床暖房スイッチ(513)がＯＮ操作されていない場合は、ステップ(ST8)で第１ＡＮＤ回路(54)の入力端子(A2)にＬ信号を印加し、これにより第１ＡＮＤ回路(54)の出力をＬ状態にして第１開閉弁(511)を閉弁状態に維持する。
【００２０】
以後、上記ステップ(ST6)〜(ST8)と同様の制御を第２，第３床暖房スイッチ(521)(531)の操作に対して実行する（ステップ(ST9)〜(ST11)及び、ステップ(ST12)〜ステップ(ST14)参照）。従って、ＯＮ操作された第１〜第３床暖房スイッチ(513)(523)(533)に対応する第１〜第３開閉弁(511)(521)(531)は全て同期して開閉動作を繰り返す。
【００２１】
次に、ステップ(ST15)で第１〜第３床暖房スイッチ(513)(523)(533)が全てＯＦＦ操作されたことが確認できると、ステップ(ST16)で第１〜第３ＡＮＤ回路(54)(55)(56)の入力端子(Z)(Z)(Z)にＬ信号を印加させる。具体的には、マイクロコンピュータ(370)のアドレスＡの出力ポートを「Ｌ」にして標準発振回路(38)（制限発振回路(39)が発振状態にあるときは制限発振回路(39)）を発振停止状態にし、これにより、第１〜第３開閉弁(511)(521)(531)を閉弁状態に維持する。その後、ステップ(ST17)でミストスイッチ(401)がＯＮ操作されていることが確認できると、ステップ(ST18)に進み、浴室暖房弁(203)を開弁すると共に送風ファン(202)を回転させ、更に、噴霧弁(14)を開弁させる。又、ステップ(ST18)では、ミスト用給水回路(12)に設けられた出湯温センサ(121)の検知温度が７０℃になるように、ミスト加熱弁(13)の開度を制御してミスト加熱回路(36)を流れる温水の流量を調整する。尚、本実施の形態では、ステップ(ST15)→(ST17)→(ST18)の順序の制御を行なう制御部が請求項１の発明特定事項たる「同時使用検知手段」に対応する。
【００２２】
次に、ステップ(ST19)〜(ST21)で浴室温センサ(42)の検知する浴室温度が４０℃以上で且つ湿度センサ(43)の検知する浴室湿度が９０％以上であると確認できるまで（サウナ準備作業が終了するまで）噴霧量切替弁(122)を開弁状態に維持し、これにより、サウナ準備作業が終了するまでは、二個の噴霧ノズル(10a)(10b)を利用して多量の温水ミストを浴室(4)に噴霧する。二個の噴霧ノズル(10a)(10b)を利用するのは、サウナ準備作業を迅速に行う為である。
【００２３】
次に、ステップ(ST22)で浴室暖房回路(200)に配設された戻り湯温センサ(205)の検知温度を判断する。この場合、戻り湯温センサ(205)は、暖房循環回路(30)の往き管(300)に於いて第１〜第３床暖房回路(510)(520)(530)やミスト加熱回路(36)の分岐部より更に下流側から分岐する浴室暖房回路(200)の浴暖用熱交換器(201)の下流側に配設されている。従って、戻り湯温センサ(205)の検知温度は、第１〜第３床暖房回路(510)(520)(530)の第１〜第３放熱マット(51)(52)(53)に温水供給さている状態（床暖房状態）では低くなる。又、第１〜第３床暖房回路(510)(520)(530)の使用系統数が多い程、戻り湯温センサ(205)の検知温度は低くなる。そこで、本実施の形態では、戻り湯温センサ(205)の検知温度に基づいて、熱源機(3)の能力不足レベルを判断するようにしている。具体的には、戻り湯温センサ(205)の検知温度Ｓが、Ｔ０＞Ｓ≧Ｔ１の場合は、床暖房の能力を制限レベル１まで落とし（ステップ(ST22)(ST26)(ST27)）、Ｔ１＞Ｓ≧Ｔ２の場合は、床暖房の能力を制限レベル２まで落とし（ステップ(ST26)(ST28)(ST29)）、Ｔ２＞Ｓ≧Ｔ３の場合は、床暖房の能力を制限レベル３まで落とし（ステップ(ST28)(ST30)(ST31)）、更に、Ｔ３＞Ｓの場合は、床暖房の能力を制限レベル４まで落とす（ステップ(ST30)(ST32)）。尚、本実施の形態では、Ｔ０＝５０℃，Ｔ１＝４２℃，Ｔ２＝３４℃，Ｔ３＝２６℃に夫々設定されている。
【００２４】
図３の（イ）は、図２のステップ(ST27)に記載した制限レベル１の具体的内容を示すサブルーチンであり、ステップ(ST100)でマイクロコンピュータ(370)の出力ポートを特定する為のアドレスＡを１０１にセットする。すると、標準発振回路(38)に比べてＨ信号に対するＬ信号の時間幅の割合が大きい信号を出す制限用発振回路(39)の出力が、第１ＡＮＤ回路(54)(55)(56)の入力端子(Z)(Z)(Z)に印加される。これにより、第１〜第３開閉弁(511)(521)(531)に於ける閉弁時間に対する開弁時間の割合が短くなり、第１〜第３床暖房回路(510)(520)(530)への温水供給量が制限され、その分、ミストサウナ機能（浴室暖房用端末(20)を作動させつつ噴霧ノズル(10a)(10b)から温水ミストを噴霧する機能）に必要な熱量が増加する。従って、床暖房時にミストサウナ運転が開始されても十分な量の温水ミストを加熱生成でき、これにより、サウナ準備作業の所要時間が長くならず、入浴までの待ち時間が長くなるのを防止できる。
【００２５】
図３の（ロ）は、図２のステップ(ST29)に記載した制限レベル２の具体的内容を示すサブルーチンであり、ステップ(ST101)に於いて、制御装置(37)の出力端子(X1)(X2)(X3)からの信号により第１〜第３床暖房回路(510)(520)(530)の第１〜第３絞り弁(512)(522)(532)を半開状態に絞る。これにより、制限レベル１に比べて更に熱源機(3)が能力不足に陥る条件下（戻り湯温センサ(205)の検知温度ＳがＴ１未満でＴ２以上の条件下）では、第１〜第３絞り弁(512)(522)(532)により、各第１〜第３床暖房回路(510)(520)(530)の温水流量を絞り、これにより、第１〜第３床暖房回路(510)(520)(530)への温水供給量を「制限レベル１」より更に制限する。従って、「制限レベル１」に比べ、ミストサウナ機能に必要な熱量が更に増加する。
【００２６】
図３の（ハ）、図２のステップ(ST31)に記載した制限レベル３の具体的内容を示すサブルーチンであり、ステップ(ST102)に於いて、制御装置(37)の出力端子(X3)からの信号により第３床暖房回路(530)の第３絞り弁(532)を全閉状態にする。これにより、制限レベル２に比べて更に熱源機(3)が能力不足に陥る条件下（戻り湯温センサ(205)の検知温度ＳがＴ２未満でＴ３以上の条件下）では、第３床暖房回路(530)を非通水状態になる。この状態では、第１〜第３床暖房回路(510)(520)(530)への温水供給量が「制限レベル２」より更に制限されるようになっており、これにより、「制限レベル２」に比べ、ミストサウナ機能に必要な熱量を更に増加させ得るようにしている。
【００２７】
図３の（ニ）は、図２のステップ(ST32)に記載した制限レベル４の具体的内容を示すサブルーチンであり、ステップ(ST103)に於いて、浴室温度が４０℃以上で且つ浴室湿度が９０％以上に上昇したことが確認できるまで（サウナ準備作業が終了するまで）は、マイクロコンピュータ(370)のアドレスＡの出力ポートを「Ｌ」にして標準発振回路(38)（制限発振回路(39)が発振状態にあるときは制限発振回路(39)）を発振停止状態にし、これにより、第１〜第３ＡＮＤ回路(54)(55)(56)の入力端子(Z)(Z)(Z)にＬ信号を印加して第１〜第３床暖房回路(510)(520)(530)の第１〜第３絞り弁(512)(522)(532)を閉じる（ステップ(ST104)）。これにより、熱源機(3)が更に能力不足に陥る条件下（戻り湯温センサ(205)の検知温度ＳがＴ３未満の条件下）では、全ての床暖房回路第１〜第３床暖房回路(510)(520)(530)に配設された第１〜第３絞り弁(512)(522)(532)が全閉状態になるから、ミストサウナ機能に必要な熱量が制限ベレル３に比べて更に増加する。一方、浴室温度が４０℃以上で且つ浴室湿度が９０％以上に上昇したことが確認できると（サウナ準備作業が終了すると）、ステップ(ST105)が実行され、マイクロコンピュータ(370)のアドレスＡの出力ポートを「Ｈ」にして標準発振回路(38)又は制限発振回路(39)を発振させる。
【００２８】
尚、図２のフローチャートに於いて、ステップ(ST22)を実行したときに、浴室暖房回路(200)に設けられた戻り湯温センサ(205)の検知温度ＳがＴ０以上である場合は、熱源機(3)が能力不足に陥っていないと判断し、かかる場合は、ステップ(ST23)でマイクロコンピュータ(370)の出力ポートを特定するアドレスＡを１００にし、これにより、標準発振回路(38)の発振信号を第１ＡＮＤ回路(54)(55)(56)の入力端子(Z)(Z)(Z)に印加させると共に、制御装置(37)の出力ポート(X1)(X2)(X3)からの信号で第１〜第３床暖房回路(510)(520)(530)に配設された第１〜第３絞り弁(512)(522)(532)を全開状態に維持する。
又、ステップ(ST24)でミストスイッチ(401)のＯＦＦ操作が確認できると、ステップ(ST25)で浴室暖房弁(203)、ミスト加熱弁(13)、噴霧弁(14)を閉じると共に送風ファン(202)を停止させて運転停止状態にする。又、ステップ(ST4)に於いて第１〜第３床暖房スイッチ(513)(523)(533)の何れのＯＮ操作も確認されない場合は、最初のステップ(ST1)に制御が戻される。
【００２９】
［その他]
１．上記実施の形態では、浴室暖房回路(200)に設けた戻り湯温センサ(205)の検知温度に基づいて熱源機(3)が能力不足に陥る条件にあるか否かを判断したが、第１〜第３床暖房回路(510)(520)(530)の使用系統数に基づいて熱源機(3)が能力不足に陥る条件にあるか否かを判断してもよい。具体的には、第１〜第３床暖房スイッチ(513)(523)(533)中の何れか１つのみがＯＮ操作された場合は、図３の（イ）に示す制限レベル１のルーチンを実行し、第１〜第３床暖房スイッチ(513)(523)(533)中の何れか２つがＯＮ操作された場合は、図３の（ロ）に示す制限レベル２のルーチンを実行し、第１〜第３床暖房スイッチ(513)(523)(533)が全てＯＮ操作された場合は、図３の（ハ）に示す制限レベル３のルーチンを実行する。更に、第１〜第３床暖房回路(510)(520)(530)と同様な他の暖房回路が更に追加配設されている場合は、これら全ての暖房回路が使用された時に図３の（ニ）に示す制限レベル４のルーチンを実行する。
【００３０】
２．上記実施の形態では、浴室暖房回路(200)に設けた戻り湯温センサ(205)の検知温度に基づいて熱源機(3)が能力不足に陥る条件にあるか否かを判断したが、熱源機(3)の出湯温度を検知する出湯温センサ(32)の出力に基づいて前記能力不足に陥る条件を判断してもよい。具体的には、出湯温センサ(32)の検知温度が８０℃であれば能力不足に陥っていないと判断する。一方、ガスバーナ(34)を能力最大限で燃焼させても、出湯温センサ(32)の検知温度が例えば７２℃になる場合は図３（イ）の制限レベル１を実行し、同様に、出湯温センサ(32)の検知温度が６４℃，５６℃，４８℃と低下するに伴なって、図３の（ロ）（ハ）（ニ）に示す制限レベル２〜４を実行する。これにより、出湯温センサ(32)の検知温度が８０℃になるように制御する。
【図面の簡単な説明】
【００３１】
【図１】本発明の実施の形態に係る温水暖房システムの概略回路図
【図２】本発明の実施の形態に係る温水暖房システムの動作を説明するフローチャート
【図３】制限レベル１〜制限レベル４のサブルーチンの説明図
【符号の説明】
【００３２】
(3)・・・熱源機
(4)・・・浴室
(510)・・・第１床暖房回路
(511)・・・第１開閉弁
(512)・・・第１絞り弁
(520)・・・第２床暖房回路
(521)・・・第２開閉弁
(522)・・・第２絞り弁
(530)・・・第３床暖房回路
(531)・・・第３開閉弁
(532)・・・第３絞り弁
【図１】
2006349225.tif 000003
【図２】
2006349225.tif 000004
【図３】
2006349225.tif 000005